(57)【要約】【課題】放電ランプの損傷を防止できる液晶表示装置を提供する。【解決手段】シールドケース１１の外周縁に垂直な外周片部１２を設ける。下側の外周片部１２の内側に、両端部にゴムキャップ６を嵌合した放電ランプ４を配設する。下側の外周片部１２の両端部を切り欠いて切欠凹部１４を形成する。切欠凹部１４がシールドケース１１内のゴムキャップ６に対向する。シールドケース１１の上側から下側へと衝撃が掛かった際に、導光板８を介してゴムキャップ６へと伝わる衝撃が切欠凹部１４によって下側の外周片部１２へと伝わり難くなる。シールドケース１１の上側から下側へと向かう衝撃の際に生じ得る、下側の外周片部１２からゴムキャップ６への応力による放電ランプ４の損傷を簡単な構成で確実に防止できる。【選択図】        図１
2004258227.tif 000002
【特許請求の範囲】
【請求項１】
表面に形成された開口部の周囲に設けられた外周縁から屈曲している壁部を備えた略矩形枠状のケース体と、
このケース体の壁部に沿ってこの壁部の内側に配設され、線状の光を照射する筒状の線状光源体と、
この線状光源体の軸方向の端部に取り付けられて前記壁部の内側に配設されたキャップ体と、
前記線状光源体の軸方向に沿って前記ケース内に配設され前記線状光源体からの線状の光を面状光源に変換する略矩形平板状の面状光源変換体と、
この面状光源変換体に対向して前記ケース内に配設され前記面状光源変換体にて変換された面状光源が照射される略矩形平板状の液晶パネルと、
前記ケース体の壁部に設けられ、この壁部の内側に配設された前記キャップ体に対向して切り欠かれた切欠凹部と
を具備したことを特徴とした液晶表示装置。
【請求項２】
切欠凹部の長手寸法は、ケース体の壁部の長手寸法の５分の１以上３分の１以下である
ことを特徴とした請求項１記載の液晶表示装置。
【請求項３】
切欠凹部の長手寸法は、キャップ体の長手寸法より大きい
ことを特徴とした請求項１または２記載の液晶表示装置。
【請求項４】
切欠凹部の幅寸法は、壁部の高さ寸法の２分の１以上である
ことを特徴とした請求項１ないし３いずれか記載の液晶表示装置。
【請求項５】
切欠凹部の基端側の壁部の高さ寸法は、液晶パネルの厚さ寸法より大きい
ことを特徴とした請求項１ないし４いずれか記載の液晶表示装置。
【発明の詳細な説明】
【０００１】
【発明の属する技術分野】
本発明は、線状光源体からの線状の光を面状光源変換体にて面状光源に変換して液晶パネルに照射させる液晶表示装置に関する。
【０００２】
【従来の技術】
従来、この種の液晶表示装置は、矩形平板状の液晶パネルを備えており、この液晶パネルは、外周縁に周方向に沿った壁部が設けられた矩形枠状のケース体としてのシールドケース内に収容されている。また、このシールドケース内における液晶パネルの裏面側には、面光源装置としてのバックライトが収容されている。このバックライトは、線状の光を照射する細長円筒状の線状光源体としての放電ランプを備えている。この放電ランプの軸方向における両端部には、絶縁性および弾性を有するキャップ体としてのゴムキャップがそれぞれ取り付けられている（例えば、特許文献１参照。）。
【０００３】
また、この種の液晶表示装置の放電ランプは、シールドケースの下側縁の壁部の内側に対向させた状態で、この壁部に沿ってシールドケース内に収容されている。このため、この放電ランプの両端部に取り付けられたキャップ体は、シールドケースの壁部の長手方向における両端部の内側に、この壁部の内側面に対向した状態で収容されている。
【０００４】
さらに、この放電ランプには、この放電ランプに一端部を向けた状態で、この放電ランプからの線状の光を面状光源に変換する矩形平板状の面状光源変換体としての導光板が取り付けられている。この導光板は、シールドケース内に収容された液晶パネルに沿って、この液晶パネルの裏面側に収容されている（例えば、特許文献２参照。）。
【０００５】
【特許文献１】
特開２００１−１９４６６６号公報（第５頁および図１）
【０００６】
【特許文献２】
特開平１１−５２３７３号公報（第２−３頁および図１）
【０００７】
【発明が解決しようとする課題】
しかしながら、上述した液晶表示装置では、シールドケースの面方向を上下方向に向けた状態で、このシールドケースの下側に位置する壁部の内側に放電ランプを収容した場合には、このシールドケースの上側から下側に向けて強い衝撃が加わると、このシールドケース内の導光板がそれぞれのゴムキャップに接触する。このため、これら導光板によるゴムキャップの押圧によって、これらゴムキャップにて両端部が支持された放電ランプにストレスが掛かる。
【０００８】
さらに、シールドケース内の導光板によるゴムキャップへの押圧によって、このゴムキャップがシールドケースの下側の壁部の内側に接触した場合には、この壁部からゴムキャップへと応力が掛かる。このため、この壁部からのゴムキャップへの応力によって、これらゴムキャップが、シールドケースの壁部と導光体とに挟まれる。したがって、これらゴムキャップにて両端部が支持された放電ランプにストレスが掛かり、この放電ランプが損傷してしまうおそれがあるため、この放電ランプの損傷の防止が容易ではないという問題を有している。
【０００９】
本発明は、このような点に鑑みなされたもので、線状光源体の損傷を防止できる液晶表示装置を提供することを目的とする。
【００１０】
【課題を解決するための手段】
本発明は、表面に形成された開口部の周囲に設けられた外周縁から屈曲している壁部を備えた略矩形枠状のケース体と、このケース体の壁部に沿ってこの壁部の内側に配設され、線状の光を照射する筒状の線状光源体と、この線状光源体の軸方向の端部に取り付けられて前記壁部の内側に配設されたキャップ体と、前記線状光源体の軸方向に沿って前記ケース内に配設され前記線状光源体からの線状の光を面状光源に変換する略矩形平板状の面状光源変換体と、この面状光源変換体に対向して前記ケース内に配設され前記面状光源変換体にて変換された面状光源が照射される略矩形平板状の液晶パネルと、前記ケース体の壁部に設けられ、この壁部の内側に配設された前記キャップ体に対向して切り欠かれた切欠凹部とを具備したものである。
【００１１】
そして、ケース体の開口部の周囲の外周縁から屈曲した壁部に沿ってこの壁部の内側に線状光源体を配設し、この線状光源体の軸方向の端部に取り付けられたキャップ体に対向したケース体の壁部を切り欠いて切欠凹部を形成した。よって、線状光源体が配設されている側に向けてケース体に衝撃が掛かった際に、このケース内に線状光源体の軸方向に沿って配設された面状光源変換体を介してキャップ体へと伝わる衝撃がケース体の切欠凹部によって、このケース体の壁部へと伝わり難くなる。このため、線状光源体が配設されている側に向かうケース体への衝撃の際に生じるおそれのある、ケース体の壁部からのキャップ体への応力による線状光源体の損傷が防止される。
【００１２】
【発明の実施の形態】
以下、本発明の液晶表示装置の一実施の形態の構成を図１ないし図７を参照して説明する。
【００１３】
図１ないし図７において、１は透過型あるいは半透過型の平面表示装置としての液晶表示装置で、この液晶表示装置１は、いわゆるノート型のパーソナルコンピュータなどに用いられる液晶パネル２を備えている。この液晶パネル２は矩形平板状に形成されており、各表示画素毎にスイッチング素子としての薄膜トランジスタ（Ｔｈｉｎ  Ｆｉｌｍ  Ｔｒａｎｓｉｓｔｏｒ：ＴＦＴ）を備えたアクティブマトリクス型である。また、この液晶パネル２は、図示しない駆動回路基板から供給される電気信号によって所望の画像を表面中央に設けられた表示部に表示する。
【００１４】
一方、液晶パネル２の裏面側には、この液晶パネル２に面状の光を照射する面光源装置であるバックライト３が対向して配設されている。このバックライト３は、線状の光を発して照射する線状光源体としてのランプ体である細長円筒状の放電ランプ４を備えている。この放電ランプ４の軸方向における両端部は、球面状に封止されて封止部５とされている。
【００１５】
そして、これら封止部５のそれぞれは、細長断面矩形状のキャップ体としてのゴムキャップ６の長手方向における一端部に開口された断面円状の嵌合凹部７に嵌合されている。この嵌合凹部７は、各ゴムキャップ６の長手方向に沿った軸方向を有しており、放電ランプ４の外径寸法よりも若干小さな内径寸法を有している。
【００１６】
さらに、この放電ランプ４の径方向に沿った側部には、この放電ランプ４から照射される線状の光を面状の光である面状光源に変換する面状光源変換体としてのライトガイドである矩形平板状の導光板８の面方向における一側面を対向させて配設されている。この導光板８は、放電ランプ４の軸方向に長手方向を平行に位置させた状態で、この放電ランプ４の軸方向に沿って配設されている。さらに、この導光板８は、液晶パネル２の表示部の裏面側に対向して固定されている。
【００１７】
また、この導光板８における液晶パネル２の裏面に対向して配設される側の反対側である裏面側には、図示しない特殊なプリズムが一体的に成型されており、このプリズムは、放電ランプ４から遠ざかるに連れて徐々に可変されて階段状に形成されている。また、この導光板８は、ポリカーボネイト、アクリル、あるいはシクロオレフィンポリマなどの耐熱透明樹脂にて成形された樹脂成形材である。
【００１８】
さらに、放電ランプ４における導光板８の対向した側は、高反射率の金属板である図示しないリフレクタにて覆われている。このリフレクタは、放電ランプ４を導光板８の上下方向の下端部に対して、この放電ランプ４の周方向に沿って覆っており、この放電ランプ４からの光が反射して導光板８側以外の方向に向けて拡散した光を高反射率にて導光板８側に向けて反射させる。
【００１９】
一方、裏面側にバックライト３が固定されてモジュール化された液晶パネル２は、矩形枠状のケース体としてのセルケースであるシールドケース１１の内側に収納されている。このシールドケース１１の表面に形成された開口部１３の周囲に設けられた外周縁には、この外周縁の周方向に沿って直角に突出した矩形筒状の周縁部としての壁部である外周片部１２が屈曲されて一体的に設けられている。また、開口部１３は、シールドケース１１の表面の中央部に設けられており、このシールドケース１１の表面側に収容された液晶パネル２の表示部を外部へと露出させる矩形状に形成されている。さらに、この開口部１３は、液晶パネル２の幅寸法より小さな幅寸法を有しているとともに、この液晶パネル２の長手寸法より小さな長手寸法を有している。
【００２０】
そして、このシールドケース１１の内部には、液晶パネル２の表示部を開口部１３側に向けた状態で、この液晶パネル２、およびこの液晶パネル２の裏面側に固定されたバックライト３のそれぞれが収容されている。ここで、図１ないし図３に示すように、このバックライト３の放電ランプ４は、シールドケース１１の幅方向である上下方向の一側としての下側に位置する外周片部１２の内側面に軸方向を沿わせた状態で、この外周片部１２の内側に対向して配設されている。
【００２１】
さらに、この放電ランプ４の両端部に取り付けられた各ゴムキャップ６は、シールドケース１１の長手方向である左右方向における両端部に位置する各外周片部１２の内側面に幅方向を沿わせた状態で、これら外周片部１２の内側の長手方向における一端部である下側に配設されている。また、これら各ゴムキャップ６は、シールドケース１１の下側に位置する外周片部１２の内側面に長手方向を沿わせた状態で、この外周片部１２の内側に対向して、この外周片部１２の長手方向における両端側に配設されている。
【００２２】
またさらに、シールドケース１１の下側に位置する外周片部１２の長手方向における両端部には、この外周片部１２の長手方向における両端部、およびこの外周片部１２の幅方向における一側である先端側に向けて段状に切り欠かれた切欠凹部１４がそれぞれ形成されている。言い換えると、これら切欠凹部１４は、放電ランプ４が対向して収容されている側である下側に位置する外周片部１２に設けられており、シールドケース１１内に収容されたゴムキャップ６に対向して切り欠かれている。
【００２３】
そして、これら切欠凹部１４は、シールドケース１１の外周片部１２の高さ寸法の２分の１以上、好ましくは２分の１の幅寸法を有している。具体的に、これら切欠凹部１４は、シールドケース１１内に収容された液晶パネル２の下端縁を、これら切欠凹部１４の基端側の外周片部１２にて支持しつつ、このシールドケース１１内に収容されたゴムキャップ６を幅方向における全体を露出させる幅寸法を有している。すなわち、切欠凹部１４の基端側の外周片部１２の高さ寸法は、液晶パネル２の厚さ寸法より大きくされている。
【００２４】
また、これら切欠凹部１４は、外周片部１２の長手寸法の５分の１以上３分の１以下、より好ましくは３分の１の長手寸法を有している。具体的に、これら切欠凹部１４の長手寸法は、シールドケース１１内に収容されたゴムキャップ６を長手方向における全体を露出させるように、これらゴムキャップ６の長手寸法より大きい。すなわち、これら切欠凹部１４は、液晶パネル２がＡ４サイズである場合においては、シールドケース１１内に収容されたゴムキャップ６の長さよりも、例えば１０ｍｍ以上内側に向けて切り欠かれていることがより好ましい。
【００２５】
さらに、正面視左側に位置する切欠凹部１４における外周片部１２の先端側に対向した側の内側には、この外周片部１２の長手方向における端部側よりも先端側に向けて突出した段状の段状突部１５が形成されている。これら段状突部１５は、シールドケース１１内に収容された放電ランプ４の外周面の一部を覆うような幅寸法を有している。また、これら段状突部１５は、シールドケース１１内に収容されたゴムキャップ６よりも内側に形成されている。したがって、これら段状突部１５は、シールドケース１１内に収容された放電ランプ４の外周面の一部のみを覆っている。
【００２６】
次に、上記一実施の形態の液晶表示装置の動作を説明する。
【００２７】
まず、放電ランプ４から発光した線状の光は、リフレクタによる反射にて導光板８の下側部へと照射されて、この導光板８の内部へと入射される。
【００２８】
そして、この導光板８の内部へと入射した光は、この導光板８のプリズムによる光路変換により面状に変換されて、液晶パネル２の裏面側へと照射される。
【００２９】
この後、この液晶パネル２へと照射した面状の光は、この液晶パネル２で透過と遮断とが制御されることで、この液晶パネル２にて表示している画像が使用者に視認される。
【００３０】
上述したように、上記一実施の形態によれば、シールドケース１１の上側に位置する外周片部１２の外側から、このシールドケース１１の下側に向けて衝撃が掛かると、この衝撃がシールドケース１１の上側の外周片部１２を介して導光板８へと伝わるとともに、この導光板８を介して放電ランプ４の両端部に取り付けられた各ゴムキャップ６へと伝わって、これらゴムキャップ６間に位置する放電ランプ４にストレスが掛かる。
【００３１】
このとき、シールドケース１１の下側の外周片部１２の両端部における、このシールドケース１１内に収容されたゴムキャップ６に対向した位置に切欠凹部１４を形成し、この切欠凹部１４をシールドケース１１の外周片部１２の先端側および長手方向における端部側のそれぞれに向けて段状に切り欠いた。
【００３２】
このため、これら各切欠凹部１４によって、この外周片部１２がしなやかな剛性を備えることで、このシールドフレーム１１の上側から導光板８を介して各ゴムキャップ６へと伝わった衝撃を外周片部１２へと直接的に伝わることを防止できる。したがって、このシールドケース１１の上側からの衝撃が導光板８およびゴムキャップ６を介して、このシールドケース１１の下側の外周片部１２へと伝わることにより生じるおそれのある、この下側の外周片部１２からのゴムキャップ６への応力の発生を防止できる。
【００３３】
よって、この下側の外周片部１２からのゴムキャップ６への応力により、この外周片部１２と導光板８とにてゴムキャップ６が上下方向に向けて挟まれることにより生じ得る、これらゴムキャップ６間に位置する放電ランプ４の端部での割れなどの損傷を効率良く防止できる。このため、切欠凹部１４が形成されたシールドケース１１を備えた液晶表示装置１の損傷を防止できるから、より高品位な液晶表示装置１を簡単な構成で確実に製造できる。
【００３４】
また、シールドケース１１の下側の外周片部１２の両端部に切欠凹部１４を形成し、この外周片部１２の両端部を切り欠いたので、このシールドケース１１を軽量化できる。
【００３５】
さらに、シールドケース１１の下側の外周片部１２に設けた切欠凹部１４を、このシールドケース１１内に収容された液晶パネル２の下端縁を支持しつつ、このシールドケース１１内に収容されたゴムキャップ６を幅方向における全体を露出させる幅寸法、具体的にはシールドケース１１の外周片部１２の高さ寸法の２分の１程度の幅寸法とした。
【００３６】
この結果、このシールドケース１１内に収容された液晶パネル２の下端部の全面を、このシールドケース１１の下側の外周片部１２における切欠凹部１４の基端側によって支持しつつ、このシールドケース１１の剛性をある程度維持しながら、このシールドケース１１の各切欠凹部１４によって、このシールドケース１１の上側からの衝撃による放電ランプ４の損傷を防止できる。
【００３７】
また、シールドケース１１の下側の外周片部１２の剛性をある程度確保するためには、各切欠凹部１４の長手寸法を外周片部１２の長手寸法の３分の１以下とすることが望ましい。さらに、シールドケース１１の上側からの衝撃による放電ランプ４の損傷を効率良く防止させるためには、各切欠凹部１４の長手寸法を外周片部１２の長手寸法の５分の１以上とするとともに、これら各切欠凹部１４の幅寸法を外周片部１２の高さ寸法の２分の１以上とすることが望ましい。
【００３８】
【発明の効果】
本発明によれば、ケース体の壁部に沿ってこの壁部の内側に配設された線状光源体の軸方向の端部に取り付けられたキャップ体に対向したケース体の壁部を切り欠いて切欠凹部を形成したので、線状光源体が配設されている側に向けてケース体に衝撃が掛かった際に、このケース内に配設された面状光源変換体を介してキャップ体へと伝わる衝撃を切欠凹部によって、このケース体の壁部へと伝わり難くできるから、ケース体の壁部からのキャップ体への応力による線状光源体の損傷を防止できる。
【図面の簡単な説明】
【図１】本発明の液晶表示装置の一実施の形態を示す説明斜視図である。
【図２】同上液晶表示装置を示す説明正面図である。
【図３】同上液晶表示装置を示す説明断面図である。
【図４】同上液晶表示装置の一部を示す正面図である。
【図５】同上液晶表示装置の一部を示す下方側面図である。
【図６】同上液晶表示装置のケース体を示す正面図である。
【図７】同上ケース体を示す下方側面図である。
【符号の説明】
１    液晶表示装置
２    液晶パネル
４    線状光源体としての放電ランプ
６    キャップ体としてのゴムキャップ
８    面状光源変換体としての導光板
１１    ケース体としてのシールドケース
１２    壁部としての外周片部
１３    開口部
１４    切欠凹部
【図１】
2004258227.tif 000003
【図２】
2004258227.tif 000004
【図３】
2004258227.tif 000005
【図４】
2004258227.tif 000006
【図５】
2004258227.tif 000007
【図６】
2004258227.tif 000008
【図７】
2004258227.tif 000009